(57)【要約】【課題】簡単な構造で実用的な乗客コンベアの給油装置配設構造の提供。【解決手段】ステップチェーン２、及び駆動装置の駆動力をスプロケット４に伝えるチェーン５に対する給油が可能な給油装置２１を上部機械室１０内に配置したものにあって、ステップ１の移動経路の直下に位置する上部機械室１０の一対の側壁８ａ，８ｂ間を接続する横梁５部分に、給油装置２１を保持するブラケット２０を設けると共に、ステップ１が、踏面２４ａの脱着が可能な少なくとも１つの点検ステップ２４を含む構成にしてある。ブラケット２０は、スプロケット４を挟んで駆動装置６の反対側に配置してある。【選択図】図３
2005255388.tif 000002
【特許請求の範囲】
【請求項１】
ステップチェーン、及び駆動装置の駆動力をスプロケットに伝えるチェーンに対する給油が可能な給油装置を上部機械室内に配置した乗客コンベアの給油装置配設構造において、
ステップの移動経路の直下に位置する上記上部機械室の一対の側壁間を接続する横梁部分に、上記給油装置を保持するブラケットを設けると共に、上記ステップが、踏面の脱着が可能な少なくとも１つの点検ステップを含むことを特徴とする乗客コンベアの給油装置配設構造。
【請求項２】
上記請求項１記載の発明において、
上記ブラケットを、上記スプロケットを挟んで上記駆動装置の反対側に配置したことを特徴とする乗客コンベアの給油装置配設構造。
【請求項３】
上記請求項２記載の発明において、
上記ブラケットを、上記横梁に締結させる締結具を備えたことを特徴とする乗客コンベアの給油装置配設構造。
【発明の詳細な説明】
【技術分野】
【０００１】
本発明は、エスカレータ等の乗客コンベアに備えられるステップチェーン、及び駆動装置の駆動力をスプロケットに伝えるチェーンに対する給油を行なう給油装置の配設構造に関する。
【背景技術】
【０００２】
この種の従来技術として例えば特許文献１に示されるチェーンオイル補給装置が公知である。この従来技術は、上部機械室を形成する壁部とターミナルギヤとの間に形成される上部機械室の空間部において、壁部に支持台を取付け、この支持台の上にオイルタンクを含むチェーンの給油装置を配置した構成になっている。すなわち、ステップの移動経路から外れた位置に給油装置を配置した構成になっている。
【０００３】
特に、この従来技術は自動給油を目的として、オイルタンク内のオイルの重量を検出する重量センサ、あるいは液面センサと、オイルタンクへのオイルの補給が必要かどうか判断するコントローラと、このコントローラから出力される信号に応じてオイルの補給の必要の有無を表示する表示部と、上部機械室内に装備される給油ホースと、上部機械室外に配備され、上述の給油ホースに接続可能な給油ホースを有する移動補給ポンプとを備えた構成になっている。
【特許文献１】特開平９−１２４２６５号公報
【発明の開示】
【発明が解決しようとする課題】
【０００４】
上述した従来技術は、給油装置への自動給油が可能であることから、給油作業の能率向上が見込まれる。しかし、この自動給油のために、上述のようにコントローラ、センサ類、表示部を含めて多くの部品を設ける必要があり、複雑な構成となる。これにより、給油装置に関係する設備費用が増大する。したがって実用性の点で問題がある。
【０００５】
本発明は、上述した従来技術における実状からなされたもので、その目的は、簡単な構造で実用的な乗客コンベアの給油装置配設構造を提供することにある。
【課題を解決するための手段】
【０００６】
この目的を達成するために、本発明は、ステップチェーン、及び駆動装置の駆動力をスプロケットに伝えるチェーンに対する給油が可能な給油装置を上部機械室内に配置した乗客コンベアの給油装置配設構造において、ステップの移動経路の直下に位置する上記上部機械室の一対の側壁間を接続する横梁部分に、上記給油装置を保持するブラケットを設けると共に、上記ステップが、踏面の脱着が可能な少なくとも１つの点検ステップを含むことを特徴としている。
【０００７】
このように構成した本発明は、ブラケットがステップの移動経路の直下に存在するので、ステップに含まれる点検ステップの踏面を外すことにより、ブラケットに保持された給油装置に容易に給油することができる。また、上部機械室の一対の壁部間を接続する横梁は既設の構造体を活用できるので、基本的には、ブラケットと、踏面が脱着可能な点検ステップとを設ける程度の構造で済む。すなわち、構造が簡単であって実用的である。
【０００８】
また本発明は、上記発明において、上記ブラケットを、上記スプロケットを挟んで上記駆動装置の反対側に配置したことを特徴としている。
【０００９】
また本発明は、上記発明において、上記ブラケットを、上記横梁に締結させる締結具を備えたことを特徴としている。
【発明の効果】
【００１０】
本発明は、チェーンに対する給油を行なう給油装置を保持するブラケットを、上部機械室を形成する一対の壁部を接続する横梁の、しかもステップの移動経路の直下に位置する部分に設け、ステップが、踏面の脱着を可能とする少なくとも一つの点検ステップを含むので、この点検ステップの踏面を外すことにより、給油装置に容易に給油できると共に、簡単な構造であるので設備費用を安くすることができ、実用的である。
【発明を実施するための最良の形態】
【００１１】
図１は本発明の乗客コンベアの給油装置配設構造の一実施形態を示す側面図、図２は図１の要部を示す拡大側面図、図３は図２の平面図である。
【００１２】
これらの図１〜３に示すように、本実施形態は例えばエスカレータに適用してある。これらの図１〜３に示すエスカレータは、複数のステップ１と、これらのステップ１を駆動するステップチェーン２とを備えている。本体フレームである躯体８の上部位置、すなわち高階床側には、上部機械室１０が設けられている。この上部機械室１０内には、上述したステップチェーン２が巻き掛けられるターミナルギヤ３と、このターミナルギヤ３と同軸に配置されるスプロケット４と、このスプロケット４を駆動する駆動装置６と、この駆動装置６の駆動力をスプロケット４に伝えるチェーン５と、駆動装置６を制御する制御盤７とが配備されている。
【００１３】
本実施形態は、図３に示すように、上部機械室１０の一対の壁部８ａ，８ｂ間を接続する既設の構造物である横梁９に、給油装置２１を保持するブラケット２０を設けた構造にしてある。ブラケット２０はステップ１の移動経路の直下に位置させてある。また、ステップ１は、踏面２４ａの脱着が可能な少なくとも１つの点検ステップ２４を含んでいる。また、ブラケット２０は、スプロケット２０を挟んで駆動装置６の反対側に配置してあり、図２に示すように、横梁９に締結具すなわちボルト２５を用いて締結させてある。
【００１４】
給油装置２１には給油配管２２を接続してあり、この給油配管２２の端部には、ステップチエーン２、及び駆動装置６の駆動力をスプロケット４に伝えるチェーン５のそれぞれに潤滑油を供給する給油ノズル２３を取付けてある。
【００１５】
本実施形態は、給油装置２１に潤滑油を補給する際には、図３に示すように、ステップ１に含まれる点検ステップ２４の踏面２４ａを外し、その外した部分から給油装置２１に潤滑油を補給すればよい。補給後には、再び踏面２４ａを点検ステップ２４に装着させることが行なわれる。これにより、当該エスカレータの通常運行が可能となる。
【００１６】
以上のように構成した本実施形態によれば、上述のようにブラケット２０がステップ１の移動経路の直下に存在するので、ステップ１に含まれる点検ステップ２４の踏面２４ａを外すことにより、ブラケット２０に保持された給油装置２１に対して容易に給油することができる。また、ブラケット２０が設けられる上部機械室１０内の横梁９は既設の構造体を活用できるので、本実施形態は、ブラケット２０と、ボルト２５と、給油装置２１をブラケット２０に固定する手段と、踏面２４ａが脱着可能な点検ステップ２４とを設ける程度の構造で済む。すなわち、構造が簡単で設備費用を安くすることができ、実用的である。
【図面の簡単な説明】
【００１７】
【図１】本発明の乗客コンベアの給油装置配設構造の一実施形態を示す側面図である。
【図２】図１の要部を示す拡大側面図である。
【図３】図２の平面図である。
【符号の説明】
【００１８】
１    ステップ
２    ステップチェーン
３    ターミナルギヤ
４    スプロケット
５    チェーン
６    駆動装置
７    制御盤
８    躯体
８ａ  壁部
８ｂ  壁部
９    横梁
１０    上部機械室
２０    ブラケット
２１    給油装置
２２    給油配管
２３    給油ノズル
２５    点検ステップ
２４ａ  踏面
２５    ボルト（締結具）
【図１】
2005255388.tif 000003
【図２】
2005255388.tif 000004
【図３】
2005255388.tif 000005